(57)【要約】【課題】軽量化された点火制御回路装置及び、特にヘッド部の軽量化が図られた内燃機関用点火装置を提供することを目的とする。【解決手段】点火制御回路装置１１０を構成するイグナイタ収納体１１１の形状は、かかる収納深度ｈがイグナイタ部１１１ａの板厚ｔより大きく設定され、且つ、イグナイタ部１１２の長辺Ｌまたは短辺Ｗよりも十分小さい寸法とされて形成される。これにより、イグナイタ部１１２は、確実にイグナイタ収納部１１１ｂに収納され、且つ、イグナイタ収納部１１１ｂを構成する形成体の不要部分を有効に排除することが可能となる。【選択図】図１
2008051032.tif 000002
【特許請求の範囲】
【請求項１】
イグナイタ部と、外部に突出して配設された複数の内部端子と前記イグナイタ部を収納させるイグナイタ収納部とを具備するイグナイタ収納体とから構成され、前記イグナイタ部は前記イグナイタ収納部に充填されるイグナイタ側絶縁材によって含浸されている点火制御回路装置において、
前記イグナイタ部は、水平方向と前記イグナイタ部の板厚方向とを略一致させて前記イグナイタ収納部に収納されており、
前記イグナイタ収納部における収納深度は、前記イグナイタ部の板厚よりも大きく、且つ、前記イグナイタ部の長辺または短辺よりも十分小さい寸法とされていることを特徴とする点火制御回路装置。
【請求項２】
前記複数の内部端子を延在させるそれぞれの支持部分は、何れも前記イグナイタ部の底辺よりも高圧方向に配されていることを特徴とする請求項１に記載の点火制御回路装置。
【請求項３】
前記イグナイタ収納部は、水平方向に前記イグナイタ部を挿入させる開口部が形成されていることを特徴とする請求項１または請求項２に記載の点火制御回路装置。
【請求項４】
前記イグナイタ収納部は、低圧方向または高圧方向のうち何れか一方に、前記イグナイタ部を挿入させる開口部が形成されていることを特徴とする請求項１または請求項２に記載の点火制御回路装置。
【請求項５】
請求項１乃至請求項４に記載の点火制御回路装置と、コイル部と、内燃機関本体のプラグホールの外部に配され前記点火制御回路装置を収納させる点火制御回路装置収納部と前記コイル部を収納させ前記プラグホールに挿入されるコイル収納部とに一体成形された収納体とを備え、前記コイル部は前記収納体の内部に充填されるコイル側絶縁材によって含浸された内燃機関用点火装置において、
前記収納体は、前記点火制御回路装置収納部にコイル側嵌合部と絶縁材用上縁部とが形成され、
前記イグナイタ収納体に形成されたイグナイタ側嵌合部と前記コイル側嵌合部とを互いに嵌合させることにより、前記イグナイタ部の板厚方向と水平方向とを略一致させて前記点火制御回路装置を前記点火制御回路装置収納部に収納させるとともに、前記複数の内部端子のうち所定の内部端子のみが前記コイル部の上部に設けられたコイル端子へ電気的に接続され、
前記絶縁材用上縁部は、前記イグナイタ収納体の外部に露出された全ての端子部分より低圧方向に配され、
前記コイル側絶縁材における充填面は、前記端子部分より低圧方向に配置され、且つ、前記絶縁材用上縁部より高圧方向に配置されていることを特徴とする内燃機関用点火装置。
【請求項６】
低圧方向に配された前記充填面と高圧方向に配された前記端子部分との関係は、十分に小さい距離とされていることを特徴とする請求項５に記載の内燃機関用点火装置。
【発明の詳細な説明】
【技術分野】
【０００１】
本発明は、点火制御回路装置及びこれを備える内燃機関用点火装置に関し、特に、内燃機関本体に設けられたプラグホール内にコイル部が収容される際に用いて好適なものである。
【背景技術】
【０００２】
今日、車載バッテリからの供給電位を利用することにより、内燃機関本体に設けられる点火プラグに対して所定タイミング毎に電位を供給させる制御機能を備えた点火制御回路装置、及び、該点火制御回路装置を備えるとともに、かかる供給電位を昇圧させる内燃機関用点火装置に関する技術の検討・提案が多数なされている。
【０００３】
かかる技術では、内燃機関本体に設けられるプラグホールの内径が予め規格化される状況にあり、供給電位を昇圧させるコイル部は、かかるコイル部の構造が密の状態でプラグホール内に収容されることとなる。従って、点火制御回路装置は、かかる構造故、内燃機関本体の外部であって、且つ、コイル部に隣接させた状態で配置形成されることとなる。
【０００４】
特開平９−２８９１２０号公報（特許文献１）には、かかる技術を利用した内燃機関用点火装置が紹介されている。図５では内燃機関用点火装置と該装置に搭載される点火制御回路装置とが示されている。図５（ａ）に示す如く、内燃機関用点火装置１は、コネクタ１１ｂと一体形成された点火制御回路装置１０と、センタコア２１ａ及び２次コイル２１ｂ及び１次コイル２１ｃ及びサイドコア２１ｄが積層され該下方に高圧端子２１ｅとスプリング２１ｆとが順に配されたコイル部２１と、点火制御回路装置１０を上端で収納させるとともにコイル部２１を点火制御回路装置１０の下部に隣接する状態で収納させるコイルケース２１とから構成されている。また、図５（ｂ）では点火制御回路装置１０の内部構成が詳細に示されている。即ち、点火制御回路装置１０は、コネクタ側端子１１ａを内部に収容させたイグナイタケース１１と、ハイブリッドＩＣ回路１２ａとパワートランジスタチップ１１ｂとイグナイタ側端子１２ｃとによって構成されたイグナイタユニット１２とを備えている。そして、かかるイグナイタユニット１２がイグナイタケース１１に設けられた矩形孔部に収納され、このとき、コネクタ側端子１１ａとイグナイタ側端子１２ｃとが矩形孔部の内部において電気的に接続されている。また、イグナイタケース１１に設けられた矩形孔部及びコイルケース２０の内部は絶縁材によって一体的に樹脂モールドされている。
【０００５】
【特許文献１】特開平９−２８９１２０号公報
【発明の開示】
【発明が解決しようとする課題】
【０００６】
しかしながら、特許文献１の点火制御回路装置１０では、図（５）ｂに示す如く、イグナイタユニット１２を水平に配置しているので、イグナイタユニット１２を収納させる矩形孔部の水平方向の寸法（紙面に対し垂直方向の寸法も含む）がイグナイタユニット１２の寸法に直接影響を受けるため、イグナイタユニット１１を形成する形成体の過剰設計が懸念される。また、イグナイタユニット１２に絶縁材を樹脂モールドする際、かかるイグナイタユニット１２の構造上、点火制御回路装置１０の重量増加及び高コスト化を招くとの問題を生ずる。
【０００７】
また、特許文献１の内燃機関用点火装置１では、コイルケース２０内に収納される点火制御回路装置１２の領域とコイル部２１とが一体的に樹脂モールドされているので、コイルケース２０の上部に充填される絶縁材の量が多量となり、これにより、総重量の増加が懸念される。また、上述の点火制御回路装置１０の重量増加の問題に伴って、内燃機関用点火装置１のヘッド部の重量が増加されるので、内燃機関本体の振動による影響を受け、イグナイタユニット１２における各種処理動作の信頼性の低下を招く惧れもある。
【０００８】
更に、かかる内燃機関用点火装置１では、イグナイタケース１１に設けられた矩形孔部及びコイルケース２０の内部に一体的に絶縁材が樹脂モールドされているので、各々に分布する絶縁材の結合力が強く、コイル部２１近傍に生じた熱応力が該絶縁体を介してイグナイタケース１１の内部に伝播し、イグナイタユニット１２の機能障害を誘発させるとの問題を生じる。
【０００９】
本発明は上記課題に鑑み、軽量化された点火制御回路装置及び、特にヘッド部の軽量化が図られた内燃機関用点火装置を提供することを目的とする。また、コイル部に生じた内部応力の影響がイグナイタ部に伝播しない点火制御回路装置及び内燃機関用点火装置の構造を提供することを目的とする。
【課題を解決するための手段】
【００１０】
上記課題を解決するために、本発明では次のような点火制御回路装置の構成とする。即ち、イグナイタ部と、外部に突出して配設された複数の内部端子と前記イグナイタ部を収納させるイグナイタ収納部とを具備するイグナイタ収納体とから構成され、前記イグナイタ部は前記イグナイタ収納部に充填されるイグナイタ側絶縁材によって含浸されている点火制御回路装置において、前記イグナイタ部は、水平方向と前記イグナイタ部の板厚方向とを略一致させて前記イグナイタ収納部に収納されており、前記イグナイタ収納部における収納深度は、前記イグナイタ部の板厚よりも大きく、且つ、前記イグナイタ部の長辺または短辺よりも十分小さい寸法とされていることを特徴とする。このとき、前記複数の内部端子を延在させるそれぞれの支持部分は、何れも前記イグナイタ部の底辺よりも高圧方向に配されているのが好ましい。更に、前記イグナイタ収納部は、水平方向に前記イグナイタ部を挿入させる開口部が形成されるか、または、前記イグナイタ収納部は、低圧方向または高圧方向のうち何れか一方に、前記イグナイタ部を挿入させる開口部が形成されている方が好ましい。
【００１１】
また、本発明では上述した点火制御回路装置を用いて次のような内燃機関用点火装置の構成とする。すなわち、かかる点火制御回路装置と、コイル部と、内燃機関本体のプラグホールの外部に配され前記点火制御回路装置を収納させる点火制御回路装置収納部と前記コイル部を収納させ前記プラグホールに挿入されるコイル収納部とに一体成形された収納体とを備え、前記コイル部は前記収納体の内部に充填されるコイル側絶縁材によって含浸された内燃機関用点火装置において、前記収納体は、前記点火制御回路装置収納部にコイル側嵌合部と絶縁材用上縁部とが形成され、前記イグナイタ収納体に形成されたイグナイタ側嵌合部と前記コイル側嵌合部とを互いに嵌合させることにより、前記イグナイタ部の板厚方向と水平方向とを略一致させて前記点火制御回路装置を前記点火制御回路装置収納部に収納させるとともに、前記複数の内部端子のうち所定の内部端子のみが前記コイル部の上部に設けられたコイル端子へ電気的に接続され、前記絶縁材用上縁部は、前記イグナイタ収納体の外部に露出された全ての端子部分より低圧方向に配され、前記コイル側絶縁材における充填面は、前記端子部分より低圧方向に配置され、且つ、前記絶縁材用上縁部より高圧方向に配置されていることを特徴とする。このとき、低圧方向に配された前記充填面と高圧方向に配された前記端子部分との関係は、十分に小さい距離とされている状態が好ましい。
【発明の効果】
【００１２】
本発明の点火制御回路装置によれば、イグナイタ収納部を構成する形成体の不要部分を有効に排除できるので、イグナイタ収納体における構造の簡素化及び低コスト化が図られる。また、かかるイグナイタ収納体の改変に伴い、イグナイタ部を含浸させるイグナイタ側絶縁材が減量され、点火制御回路装置の軽量化及び低コスト化が図られる。
【００１３】
また、本発明の内燃機関用点火装置によれば、上述の如く軽量化された点火制御回路装置を用いるとともに、点火制御回路装置収納部に充填するコイル側絶縁材が減少されるので、内燃機関用点火装置の軽量化及び低コスト化が図られ、特に、点火制御回路装置収納部の軽量化が飛躍的に推進される。このとき、かかる如くしてヘッド部の軽量化が図られた内燃機関用点火装置によって、内燃機関用点火装置の重心位置が低く抑えられるとともに、イグナイタ部近傍における重量の低下が図られるので、内燃機関本体の駆動状態に起因する振動の影響が改善され、イグナイタ部の周波特性及び他の性能上の保護が図られる。
【００１４】
更に、点火制御回路装置と収納体とは互いに独立して構成され、且つ、点火制御回路装置に充填するイグナイタ側絶縁材と収納体に充填するコイル側絶縁材とは異なる製造工程において硬化されるため、精密な回路構成を備えるイグナイタ部は、コイル部の領域で生じる熱応力の影響を殆ど受けない構造とされる。
【発明を実施するための最良の形態】
【００１５】
以下、本発明に係る実施の形態につき図面を参照して説明する。図１には本実施の形態に係る点火制御回路装置の構成が示されている。図１（ａ）を参照して、点火制御回路装置１１０は、後述する一次コイル１２１ｃへの通電電流を断続的にＯＮ／ＯＦＦ制御を行うイグナイタ部１１２と、イグナイタ部１１２を収納させるイグナイタ収納体１１１と、イグナイタ端子１１３とから構成されている。
【００１６】
イグナイタ収納体１１１は、電源や制御信号の供給源である外部端子（図示せず）との接続を行うコネクタ部１１１ａと、略矩形形状であって一方に開口部が設けられたイグナイタ収納部１１１ｂと、後述する内燃機関用点火装置を構成する収納部に嵌合させるイグナイタ側嵌合部１１１ｃとが形成されている。また、コネクタ部１１１ａの内部には、車載バッテリから駆動電源を受けるバッテリ端子と、ＥＣＵからの制御信号を受ける信号入力端子と、内燃機関用点火装置の駆動状態を検知（例えば、イオンセンサによる）してＥＣＵへ出力させる信号出力端子と、ＧＮＤ端子とから構成されるコネクタ端子１１１ｄが配されている。更に、イグナイタ収納部１１１ｂの開口側には、複数の内部端子１１１ｅが支持部分１１６を支持端として外部に露出された状態で配されている。従って、かかる内部端子１１１ｅは、一端がイグナイタ収容体１１１に埋設された状態とされる。そして、図示の如く、複数の内部端子１１１ｅのうち選択された内部端子は、イグナイタ収容体１１１における成型体の内部においてコネクタ端子１１１ｄとそれぞれ電接されている。
【００１７】
イグナイタ部１１２は、後述するＩＧＢＴへの過電流を防止させる機能やＥＣＵからの制御信号に重畳されたノイズ・サージ等を除去させる機能を具備する制御基板１１２ａと、一次コイル１２１ｃへ通電電流を断続的にＯＮ／ＯＦＦ制御させるスイッチングモジュール１１２ｂとから構成されている。かかる制御基板１１２ａは、セラミック製の基板上に上述した制御機能を実現させる半導体・回路素子等を具備する制御回路素子１１２ａＡと、それぞれの電位・信号の送受信に用いられるランド１１２ａＢとから構成されている。このとき、ランド１１２ａＢのうち所定箇所には、後述するＩＧＢＴのエミッタとゲートとにそれぞれワイヤーボンディングされている。また、スイッチングモジュール１１２ｂは、制御基板１１２ａの背面に絶縁的に接着されるとともに、制御基板１１２ａからの信号に応じて所定回路部の通電をＯＮ／ＯＦＦにスイッチングさせる半導体素子１１２ｂＡと、半導体素子１１２ｂＡのコレクタ部に貼付されたヒートシンク１１２ｂＢとから構成されている。尚、かかる半導体素子１１２ｂＡは、本実施の形態において、ＩＧＢＴ（絶縁ゲート型バイポーラトランジスタ）を用いられているが、これに限らず、パワートランジスタなど他種のＦＥＴを適宜選択することが可能である。
【００１８】
イグナイタ端子１１３は、所定幅の板体から形成されており、一端はクリップ部が形成され、他端は折曲部が加工されている。このとき、かかるイグナイタ端子１１３は、制御基板１１２ａに配される各々のランド１１２ａＢへ接続される基板用端子１１３ａと、ヒートシンク１１２ｂＢへ接続されるヒートシンク用端子１１３ｂとがそれぞれ準備され、ランド１１２ａＢ及びヒートシンク１１２ｂＢの板厚に応じてクリップ状の形が適宜調整されている。
【００１９】
図１（ｂ）には点火制御回路装置１１０のアセンブリ状態が示されている。図示の如く、まず、イグナイタ部１１２に設けられたランド１１２ａＢ及びヒートシンク１１２ｂＢは、イグナイタ端子１１３に設けられたクリップ部によって各々接続される。そして、イグナイタ部１１２は、イグナイタ収納体１１１に設けられたイグナイタ収納部１１１ｂの内部に挿入される。
【００２０】
ここで、イグナイタ部１１１ａの板厚ｔが制御基板１１２ａの板厚とヒートシンク１１２ｂＢの板厚との和によって定められることとし、図３（ａ）に図示される如く、収納深度ｈと称される値がイグナイタ収納部１１１ｂにおける開口部から底面迄の距離と定義する。更に、図３（ｂ）に図示される如く、長辺Ｌと称される値が制御基板１１２ａとヒートシンク１１２ｂＢをレイアウトさせた際に定まる長手方向の寸法とし、短辺Ｗと称される値が制御基板１１２ａとヒートシンク１１２ｂＢをレイアウトさせた際に定まる短手方向の寸法とする。このとき、イグナイタ収納体１１１の形状は、かかる収納深度ｈがイグナイタ部１１２ａの板厚ｔより大きく設定され、且つ、イグナイタ部１１２の長辺Ｌまたは短辺Ｗよりも十分小さい寸法とされている。これにより、イグナイタ部１１２は、確実にイグナイタ収納部１１１ｂに収納され、且つ、イグナイタ収納部１１１ｂを構成する形成体の不要部分を有効に排除することが可能とされる。
【００２１】
図１（ｂ）に戻って、イグナイタ部１１２がイグナイタ収納部１１１ｂの内部に挿入された後、イグナイタ端子１１３に設けられる折曲部は、外部に露出された内部端子１１１ｅの各々に対応させてレイアウトされる。そして、折曲部が内部端子１１１ｅに当接する電設部１１４において溶接または半田が施されて電気的に接続され、これにより、コネクタ端子１１１ｄ及び内部端子１１１ｅとイグナイタ部１１２とが、イグナイタ端子１１３を介して通信可能とされる。然る後、イグナイタ部１１２は、イグナイタ収納部１１１ｂに充填されるイグナイタ側絶縁材１１５（図示せず）によって含浸固定される。
【００２２】
図２は本実施の形態に係る点火制御回路装置を搭載した内燃機関用点火装置の構成が示されている。また、図３には点火制御回路装置を内燃機関用点火装置に搭載した際の関係が示されている。
【００２３】
まず、図２（ａ）を参照して内燃機関用点火装置１００の構成について説明する。図示の如く、内燃機関用点火装置１００は、前述した点火制御回路装置１１０と、かかる点火制御回路装置１１０を介して印加された電位を昇厚させるコイル部１２１と、点火制御回路装置１１０及びコイル部１２１を収納させる収納体１２０とから構成されている。
【００２４】
コイル部１２１は、種々の形態が提案されているが、例えば、珪素鋼板をプレス積層させたセンタコア１２１ａと、その外層に、エナメル線が積層巻され、後述する１次コイルによって誘起電位を生じさせる２次コイル１２１ｂと、更に外層に、点火制御回路装置１１０に接続され、イグナイタ部１１２の動作に応じて駆動制御される１次コイル１２１ｃと、更に外層に、磁気回路を形成させるサイドコア１２１ｄとが積層的に配されている。また、かかるコイル部の上端には、点火制御回路装置１１０に設けられた内部端子１１１ｅに接続するためのコイル端子（図示せず）が設けられている。
【００２５】
収納体１２０は、内燃機関本体のプラグホール（図示せず）の外部に配され、内部に点火制御回路装置１１０を収納させる点火制御回路装置収納部１２０ａと、コイル部１２１を内部に収納させた後、プラグホール内に挿入されるコイル収納部１２０ｂとが一体的に成形されている。また、点火制御回路装置収納部１２０ａには、イグナイタ側嵌合部１１１ｃに対して嵌合可能な形状に成形されたコイル側嵌合部１２０ａＡと、内燃機関用点火装置１００を内燃機関本体に固定させる際に係合孔として用いられる孔部１２０ａＢと、後述するコイル側絶縁材１２２を注入する際に溢流を防止させる絶縁材用上縁部１２０ａＣとが形成されている。更に、コイル部１２１がコイル収納部１２０ｂに収納された際、コイル部の上部に設けられたコイル端子（図示せず）は、点火制御回路装置１１０の内部端子１１１ｅ側に臨ませた状態でレイアウトされる。
【００２６】
図２（ｂ）では、点火制御回路装置１１０を上述した収納体１２０へ搭載させた状態が示されている。図示の如く、イグナイタ収納体１１１に設けられたイグナイタ側嵌合部１１１ｃと点火制御回路装置収納部１２０に設けられたコイル側嵌合部１２０ａＡとによって、点火制御回路装置１１０と収納体１２０とが嵌合され、コネクタ部１１１ａは収納体１２０の外部に突き出した状態で固定されている。また、選択された所定の内部端子１１１ｅのうち外部に露出された端子部分１１１ｆは、図示の如く、コイル部１２１の上端部に配されたコイル端子に当接され、これにより、イグナイタ部１１２とコイル部１２１とは、内部端子１１１ｅを介して電気的に接続される。その後、コイル部１２１及び外部に露出した端子部分１１１ｆは、収納体１２０の内部に充填されるコイル側絶縁材１２２によって含浸固定される。尚、外部に露出された端子部分１１１ｆとは、イグナイタ端子１１１ｄが外部に露出している部分を含む概念とする。
【００２７】
図３（ａ）では、点火制御回路装置１１０が収納体１２０へ搭載された状態が更に詳細に示されている。同図において、コイル部１２１の中心軸に対して略一致する基準軸をコイル基準軸１２３とし、かかるコイル基準軸１２３の紙面上方を低圧方向Ｆｗｌとし、同コイル基準軸１２３の紙面下方を高圧方向Ｆｗｈとする。また、コイル基準軸１２３に対して直交し紙面右方を水平方向Ｈｚｌとする。更に、イグナイタ部１１２面に垂直となる方向を板厚方向Ｆｗｔとする。
【００２８】
まず、イグナイタ部１１２の板厚方向Ｆｗｔとコイル部１２１のコイル基準軸１２３とには次の関係を必要とする。図示の如く、イグナイタ側嵌合部１１１ｃの形状とコイル側嵌合部１２０ａＡの形状とによって、点火制御回路装置１１０を収納体１２０に組み込ませる嵌合状態が定まり、これに応じて、点火制御回路装置１１０に内蔵されるイグナイタ部１１２の板厚方向Ｆｗｔが定まる。このとき、それぞれの嵌合部の形状に応じて、イグナイタ収納部１１１ｂの底面の法線方向を水平方向Ｈｚｌに一致するように形成させる。即ち、イグナイタ部１１２の板圧方向Ｆｗｔは、かかるイグナイタ収納部１１１ｂの底面の面方向によって定まるため、イグナイタ収納部１１１ｂの底面の法線方向が水平方向Ｈｚｌに一致する状態であれば、点火制御回路装置１１０に内蔵されるイグナイタ部１１２も、かかるイグナイタ部１１２の板厚方向Ｆｗｔと水平方向Ｈｚｌとが略一致した状態でレイアウトされることとなる。
【００２９】
次に、内部端子１１１ｅとコイル部１２１のコイル基準軸１２３とには次の関係を必要とする。即ち、コイル端子は、外部に露出された端子部分１１１ｆに当続されており、コイル側絶縁材１２２は、かかる端子部分１１１ｆを覆う状態で収納体１２０へ充填される。従って、端子部分１１１ｆが延在される際、内部端子１１１ｅの支持部分１１６は高圧方向Ｆｗｈ寄りに固定されることが好ましい。更に好ましくは、内部端子１１１ｅの支持部分１１６が、図３（ｂ）に記載のイグナイタ部１１２における底辺１１２ａＣよりも高圧方向Ｆｗｈに配されているのがレイアウトの上で好ましい。
【００３０】
更に、内部端子１１１ｅ及びコイル側絶縁材１２２とコイル部１２１のコイル基準軸１２３とには次の関係を必要とする。即ち、本実施の形態における点火制御回路装置１１０は、予め、イグナイタ側絶縁材１１５によって樹脂モールドされているため、収納体１２０の内部に充填されるコイル側絶縁材１２２は、従来技術と比較して、格段に高圧方向Ｆｗｈ側へ設定することが可能となる。然るに、内部端子１１１ｅに特徴を有する点火制御回路装置１１０を用いることにより、かかる内部端子１１１ｅが外部に露出される端子部分１１１ｆは、点火制御回路装置１１０のイグナイタ収納体１１１に係る形状に影響されることなく、少量のコイル側絶縁材１２２によって樹脂モールドすることが可能となる。このとき、かかる端子部分１１１ｆとコイル側絶縁材１２２における充填面１２２ａとの距離が十分に小さい状態とさせることが好ましい。
【００３１】
本実施の形態の点火制御回路装置１１０によれば、イグナイタ収納部１１１ｂを構成する形成体の不要部分を有効に排除できるので、イグナイタ収納体１１１における構造の簡素化及び低コスト化が図られる。また、かかるイグナイタ収納体１１１の改変に伴い、イグナイタ部１１２を含浸させるイグナイタ側絶縁材１１５が減量され、点火制御回路装置１１０の軽量化及び低コスト化が図られる。
【００３２】
また、本実施の形態の内燃機関用点火装置１００によれば、上述の如く軽量化された点火制御回路装置１１０を用いるとともに、点火制御回路装置収納部１２０ａに充填するコイル側絶縁材１２２が減少されるので、内燃機関用点火装置１００の軽量化及び低コスト化が図られ、特に、点火制御回路装置収納部１２０ａの軽量化が飛躍的に推進される。
【００３３】
更に、点火制御回路装置１１０と収納体１２０とは互いに独立して構成され、且つ、点火制御回路装置１１０に充填するイグナイタ側絶縁材１１５と収納体１２０に充填するコイル側絶縁材１２２とは異なる製造工程において硬化されるため、精密な回路構成を備えるイグナイタ部１１２は、コイル部１２１の領域で生じる熱応力の影響を殆ど受けない構造とされる。
【００３４】
加えて、内燃機関用点火装置１００は、かかる如くしてヘッド部の軽量化が図られているので、内燃機関用点火装置１００の重心位置が低く抑えられるとともに、イグナイタ部１１２近傍における重量の低下が図られるので、内燃機関本体の駆動状態に起因する振動の影響が改善され、イグナイタ部１１２の周波特性及び他の性能上の保護が図られる。
【００３５】
尚、本実施の形態では水平方向Ｈｚｌにイグナイタ収納部１１１ｂの開口部を形成した構成とさせているが。かかる開口部の位置を別の位置へ形成することも可能である。その一例として、図４に別態様の実施の形態にかかる点火制御装置の構成が示されている。但しここでは、かかる点火制御装置２１０の構成部品のうち上記実施の形態の構成部品と同一機能の箇所については適宜説明を省略することとする。
【００３６】
図４（ａ）に示す如く、別態様の実施の形態にかかる点火制御回路装置２１０は、上述の実施の形態におけるイグナイタ収納体１１１の替わりにイグナイタ収納体２１１が、イグナイタ部１１２の替わりにイグナイタ部２１２が、内部端子１１１ｅの替わりに内部端子２１１ｅが新たに用いられている。
【００３７】
イグナイタ収納体２１１は、開口部が低圧方向Ｆｗｌ（図示せず）に配される状態でイグナイタ収納部２１１ｂが形成されている。従って、イグナイタ収納体２１１の水平方向Ｈｚｌには、イグナイタ収納体２１１の形成体によって側壁が形成される。また、かかるイグナイタ収納部２１１ｂには、後述する内部鉛直端子２１１ｅＡを支持する段付部が新たに形成されている。
【００３８】
イグナイタ部２１２を構成するスイッチングモジュール２１２ｂは、低圧方向Ｆｗｌ（図示せず）に突出する凸部２１２ｂＣが形成されている。そして、かかる、凸部２１２ｂＣがランド１１２ａＢと略同一列とされる状態にて、ヒートシンク１１２ｂＢが制御基板１１２ａに絶縁的に接着されている。
【００３９】
内部端子２１１ｅでは、かかる内部端子２１１ｅの各々に対応する内部鉛直端子２１１ｅＡがイグナイタ収納体２１１の形成体内部に設けられ、かかる内部鉛直端子２１１ｅＡの一端は内部端子２１１ｅに電気的に接続され、他端はグナイタ収納部２１１ｂに配される段付部に突出する状態でイグナイタ収納部２１１ｂの内部に収納されている。
【００４０】
かかる点火制御回路装置２１０のアセンブリ時には、図４（ｂ）に示す如く、ランド１１２ａＢ及び前述の凸部２１２ｂＣとを低圧方向Ｆｗｌ（図示せず）に面した状態で、イグナイタ部２１２がイグナイタ収納体２１１に収納され、その後、ランド１１２ａＢ及び凸部２１２ｂＣと内部鉛直端子２１１ｅＡとの間に連架させる状態でイグナイタ端子１１３を接続させる。これにより、イグナイタ部２１２とコネクタ端子１１１ｄ及び内部端子２１１ｅとは電気的に接続された状態とされる。
【００４１】
本別態様の実施の形態における内燃機関用点火装置では、イグナイタ収納部２１１ｂの開口部の方向が低圧方向Ｆｗｌと略一致する場合、前述の実施の形態に掲げる効果の他に以下の効果が奏される。即ち、イグナイタ部２１２及びコイル部１２１への絶縁材の充填方向が同一とされるので、内燃機関用点火装置の製造行程における樹脂モールド行程が統一され、かかる製造工程の簡素化が図られる。
【００４２】
以上の如く記された各実施の形態はあくまでも本発明の一つの実施形態であって、本発明ないし各構成要件の用語の意義は、前記実施の形態に記載されたものに制限されるものではない。例えば、本実施の形態ではイグナイタ収納体に配されるイグナイタ端子は４本のみとして説明されているが、これに限らず、点火制御回路装置の機能に応じて適宜増減させることが可能である。また、制御基板に配されるランドは横一列に整列させて図示しているが、制御基板の設計都合に応じてかかるランドの配列を変更し、かかる変更に応じてイグナイタ端子のクリップ部の形状を変更しても良い。更に、イグナイタ側嵌合部及びコイル側嵌合部の形状についても、図示される形状に限定することなく、適宜設計変更されるべきものである。
【図面の簡単な説明】
【００４３】
【図１】実施の形態に係る点火制御回路装置の構成を示す図
【図２】実施の形態に係る点火制御回路装置が搭載された内燃機関用点火装置の構成を示す図
【図３】実施の形態に点火制御回路装置が内燃機関用点火装置に搭載される際の関係を示す図
【図４】別態様の実施の形態に係る点火制御回路装置の構成を示す図
【図５】従来技術に係る内燃機関点火装置及び点火制御回路装置の構成を示す図
【符号の説明】
【００４４】
１００      内燃機関用点火装置
１１０      点火制御回路装置
１１１      イグナイタ収納体
１１１ａ    コネクタ部
１１１ｂ    イグナイタ収納部
１１１ｃ    イグナイタ側嵌合部
１１１ｄ    コネクタ端子
１１１ｅ    内部端子
１１１ｆ    端子部分
１１２      イグナイタ部
１１２ａ    制御基板
１１２ａＣ  底辺
１１２ｂ    スイッチングモジュール
１１５      イグナイタ側絶縁材
１１６      支持部分
１２０      収納体
１２０ａ    点火制御回路装置収納部
１２０ａＡ  コイル側嵌合部
１２０ａＣ  絶縁材用上縁部
１２０ｂ    コイル収納部
１２１      コイル部
１２２      コイル側絶縁材
１２２ａ    充填面
１２３      コイル基準軸
２１０      点火制御回路装置
２１１      イグナイタ収納体
２１１ｂ    イグナイタ収納部
２１１ｅ    内部端子
２１１ｅＡ  内部鉛直端子
２１２      イグナイタ部
２１２ｂ    スイッチングモジュール
２１２ｂＣ  凸部
【図１】
2008051032.tif 000003
【図２】
2008051032.tif 000004
【図３】
2008051032.tif 000005
【図４】
2008051032.tif 000006
【図５】
2008051032.tif 000007